(57)【要約】【課題】各段のドクター装置のドクターブレードを適切な圧接角でロールの外周面に圧接した状態に取り付けることのできる多段ドクター装置を提案すること。【解決手段】２段ドクター装置１は前段ドクター装置３および後段ドクター装置４を有し、これらを、架台８に取り付けた軸受け９によって支持されている共通の第１支軸３４回りに旋回させて、前段ドクター装置３のドクターブレード３１の圧接角を調節できる。後段ドクター装置４は前段ドクター装置３の側板３４に形成した長穴６１に沿ってロール２の外周面２ａに対して接近・離間方向にスライドさせることにより、そのドクターブレード４１の圧接角を調節できる。双方のドクター装置３、４を適切にロール２に取り付けることができるので、全体としての異物掻き落とし能力を高めることができる。【選択図】図２
2008127723.tif 000002
【特許請求の範囲】
【請求項１】
第１ドクター装置と、
この第１ドクター装置に平行となるように配置された第２ドクター装置と、
これらを共通の旋回中心軸線を中心として旋回して所定の旋回位置に保持する旋回保持機構と、
前記第２ドクター装置を前記第１ドクター装置に対して前記旋回中心軸線に直交する方向にスライド可能な状態で支持しているスライド機構と、
前記第２ドクター装置を所定のスライド位置に保持している保持機構とを有していることを特徴とする多段ドクター装置。
【請求項２】
請求項１において、
前記旋回保持機構は、
前記第１ドクター装置における少なくとも一方の側面に取り付けられている側板と、
この側板の外側面から外方に突出しており、前記第１ドクター装置の旋回中心を規定している第１支軸と、
この第１支軸を回転自在の状態で支持している軸受けと、
前記第１支軸を旋回して所定の旋回位置に保持するためのターンバックルあるいはエアーシリンダとを備えていることを特徴とする多段ドクター装置。
【請求項３】
請求項２において、
前記第２ドクター装置の旋回中心を規定している第２支軸と、
前記第２ドクター装置を前記第２支軸を中心とする所定の旋回位置に保持するターンバックルとを有し、
前記スライド機構は前記側板に形成されている軸穴を備えており、この軸穴は、前記第２支軸が、回転可能であると共に当該第２支軸に直交する方向にスライド可能な状態で挿入されている長穴であることを特徴とする多段ドクター装置。
【発明の詳細な説明】
【技術分野】
【０００１】
本発明は、抄紙機ロール、製鉄用ロールなどのロールの外周面に付着した異物を掻き落とすために用いるドクター装置に関するものである。さらに詳しくは、複数のドクター装置がロール外周面に沿ってその円周方向に配列された構成の多段ドクター装置に関するものである。
【背景技術】
【０００２】
多段ドクター装置、例えば、２台のドクター装置がロールの外周面に沿ってその円周方向に配置された二段ドクター装置では、ロールの回転方向の上流側に配置されている前段ドクター装置によってロール外周面に付着している異物を掻き落とした後に、回転方向の下流側に配置されている後段ドクター装置によって再度、ロール外周面から異物の掻き落としが行われる。したがって、前段ドクター装置によって掻き落とされなかった異物、あるいは掻き取られたもののロール外周面と前段ドクター装置のドクターブレードの間を通過してしまった細かな異物を、後段ドクター装置によって確実にロール外周面から除去することができる。かかる多段ドクター装置は特許文献１に開示されている。
【特許文献１】特許第２９８７１１０号公報
【発明の開示】
【発明が解決しようとする課題】
【０００３】
従来の多段ドクター装置では、前段ドクター装置および後段ドクター装置を共通の支軸を中心として旋回可能に架台に取り付け、掻き落とし能力が要求される前段ドクター装置におけるドクターブレードがロール外周面に対して適切な角度で圧接するように、その取り付け位置を調節している。このため、後段側のドクター装置におけるドクターブレードのロール外周面に対する圧接角の調節が出来ないという問題がある。
【０００４】
複数台のドクター装置を個別に取り付けて多段にすれば、各ドクター装置におけるドクターブレードの圧接角を適切に設定できる。しかし、これでは、設置スペースを多く必要とし、設置作業にも時間を要するので、実用的でない。
【０００５】
本発明の課題は、このような点に鑑みて、設置スペース、設置作業時間の増加を招くことなく、各段のドクター装置のドクターブレードのロール外周面に対する圧接角を調節可能な多段ドクター装置を提案することにある。
【課題を解決するための手段】
【０００６】
上記の課題を解決するために、本発明の多段ドクター装置は、
第１ドクター装置と、
この第１ドクター装置に平行となるように配置された第２ドクター装置と、これらを共通の旋回中心軸線を中心として旋回して所定の旋回位置に保持する旋回保持機構と、前記第２ドクター装置を前記第１ドクター装置に対して前記旋回中心軸線に直交する方向にスライド可能な状態で支持しているスライド機構と、前記第２ドクター装置を所定のスライド位置に保持している保持機構とを有していることを特徴としている。
【０００７】
本発明の多段ドクター装置では、第１および第２ドクター装置が共通の旋回中心軸線回りに旋回させるようになっているので、別個の２台のドクター装置を設置する場合に比べて、設置スペースが少なくて済み、設置作業時間も短くて済む。
【０００８】
また、第２ドクター装置が第１ドクター装置に対してスライド可能となっているので、第１ドクター装置のドクターブレードの圧接角が適切な角度となるように、ロールに対する取り付け位置を設定した後に、第２ドクター装置をスライドさせることにより、当該第２ドクター装置のドクターブレードのロール外周面に対する圧接角も調節することができる。
【０００９】
ここで、前記旋回保持機構は、前記第１ドクター装置における少なくとも一方の側面に取り付けられている側板と、この側板の外側面から外方に突出しており、前記第１ドクター装置の旋回中心を規定している第１支軸と、この第１支軸を回転自在の状態で支持している軸受けと、前記第１支軸を旋回して所定の旋回位置に保持するためのターンバックルあるいはエアーシリンダとを備えた構成とすることができる。
【００１０】
また、前記第２ドクター装置の旋回中心を規定している第２支軸と、前記第２ドクター装置を前記第２支軸を中心とする所定の旋回位置に保持するターンバックルとを有し、前記スライド機構は前記側板に形成されている軸穴を備えた構成とし、この軸穴を、前記第２支軸が、回転可能であると共に当該第２支軸に直交する方向にスライド可能な状態で挿入されている長穴とすればよい。
【発明の効果】
【００１１】
本発明の多段ドクター装置では、第２ドクター装置を第１ドクター装置に対して旋回中心軸線に直交する方向にスライド可能としてある。したがって、第１ドクター装置におけるドクターブレードの圧接角が適切な角度となるように多段ドクター装置をロールに対して取り付け、しかる後に、第２ドクター装置をスライドさせて、当該第２ドクター装置のドクターブレードの圧接角を適切な角度となるように調節することができる。よって、設置スペース、設置作業時間の増加を招くことなく、各段のドクター装置が適切な状態で取り付け可能な多段ドクター装置を実現できる。この結果、従来に比べて多段ドクター装置の異物掻き落とし能力を高めることができる。
【発明を実施するための最良の形態】
【００１２】
以下に、図面を参照して、本発明を適用した多段ドクター装置の実施の形態を説明する。
【００１３】
図１(ａ)は本発明を適用した２段ドクター装置を示す概略側面図であり、図１(ｂ)はそのｂ−ｂ線で切断した部分の概略断面図である。また、図２は架台を省略した場合の概略側面図である。
【００１４】
２段ドクター装置１は、ロール２の外周面２ａに沿って矢印Ａで示す回転方向の上流側に配置された前段ドクター装置３(第１ドクター装置)と、下流側に配置された後段ドクター装置４(第２ドクター装置)とを有している。これら前段および後段ドクター装置３、４は、ロール２の中心軸線に平行となるように配置されている。
【００１５】
また、これら前段および後段のドクター装置３、４は、旋回保持機構５によって、ロール２の軸線方向に平行な共通の旋回中心軸線１ａを中心として旋回させた所定の旋回位置に保持されている。さらに、後段ドクター装置４は、スライド機構６によって、前段ドクター装置３に対して旋回中心軸線１ａに直交する方向にスライド可能な状態で支持されており、保持機構７によって、スライド機構６による所定のスライド位置に保持されている。
【００１６】
前段ドクター装置３は、ロール２の外周面２ａに刃先３１ａが圧接されるドクターブレード３１と、このドクターブレード３１を保持しているブレードホルダー３２と、このブレードホルダー３２を支持しているドクターバック３３とを備えている。ドクターバック３３の両側端には側板３４が固定されており、各側板３４の外側面には外方に直角に突出している第１支軸３５が固定されている。これら左右の第１支軸３５の中心軸線が旋回中心軸線１ａに一致している。左右の第１支軸３５の軸端部は、それぞれ、左右の架台８に取り付けられている軸受け９によって回転可能な状態で支持されている。軸受け９の取り付け位置は、調節ボルト１０によって、ロール２の外周面２ａに対して接近・離間方向に調節可能となっている。
【００１７】
ここで、旋回保持機構５は、一方の架台８に取り付けられたエアーシリンダ５１と、このエアーシリンダ５１の伸縮ロッド５２および第１支軸３５の間を連結している連結板５３とを備えている。連結板５３は第１支軸３５の半径方向に延びており、その一端が第１支軸３５に固定され、他端が第１支軸３５に平行な軸線回りに回転可能な状態で伸縮ロッド５２の先端部に連結されている。
【００１８】
次に、後段ドクター装置４は、前段ドクター装置３の左右の側板３４の間に配置されており、ロール２の外周面２ａに刃先４１ａが圧接されるドクターブレード４１と、このドクターブレード４１を保持しているブレードホルダー４２と、このブレードホルダー４２を支持しているドクターバック４３とを備えている。ドクターバック４３の両側端には側板４４が固定されており、各側板４４の外側面には外方に直角に突出している第２支軸４５が固定されている。左右の第２支軸４５は、前段ドクター装置３における左右の側板３４に形成されている直線状の長穴６１(軸穴)を貫通して外側に延びている。また、後段ドクター装置４を第２支軸４５を中心とする所定の旋回位置に固定するためにターンバックル４６が配置されている。ターンバックル４６は側板４４と前段ドクター装置３の側板３４との間に掛け渡されている。
【００１９】
左右の長穴６１はスライド機構６として機能する。すなわち、後段ドクター装置４の左右の第２支軸４５は、回転可能、かつ、当該第２支軸４５に直交する方向にスライド可能な状態で、各長穴６１を貫通している。
【００２０】
各長穴６１から外方に突出している第２支軸４５の軸端部は、保持機構７によって保持されている。保持機構７は、第２支軸４５を回転可能な状態で支持している軸受け７１と、長穴６１のスライド範囲に亘って軸受け７１を移動可能な状態で支持している架台８と、軸受け７１の取り付け位置を調整するための調節ボルト７２とを備えている。
【００２１】
この構成の２段ドクター装置１では、共通の架台８に前段および後段ドクター装置３、４が取り付けられている。前段ドクター装置３のロール２の外周面２ａに対する取り付け位置を調節し、しかる後に、エアーシリンダ５１を駆動して多段ドクター装置１の全体、すなわち、前段および後段ドクター装置３、４を共通の第１支軸３４を中心として旋回させることにより、前段ドクター装置３のドクターブレード３１を適切な圧接角でロール２の外周面２ａに圧接させた状態を形成できる。
【００２２】
前段ドクター装置３の取り付け位置を調節した後に、後段ドクター装置４を長穴６１に沿ってスライドさせることにより、そのドクターブレード４１のロール２の外周面２ａに対する圧接角が適切な状態となるように調節できる。図に示す場合には、圧接角を小さくするためには後段ドクター装置４を上方にスライドさせ、圧接角を大きくするためには下方にスライドさせればよい。適切な位置に後段ドクター装置４をスライドさせた後に、その第２支軸４５を支持している軸受け７１を調節ボルト７２によって調節位置に固定すればよい。
【００２３】
本例の２段ドクター装置１においては、共通の架台８に取り付けられ、共通の第１支軸３５回りに一体となって旋回する各段のドクター装置３、４を、それらのドクターブレード３１、４１が適切な圧接角でロール２の外周面２ａに圧接した状態となるように、設置することができる。したがって、設置スペースおよび設置作業時間の増加を伴うことなく、各段のドクター装置３、４を適切な状態に設置でき、全体としての異物掻き落とし能力を高めることができる。
【００２４】
(その他の実施の形態)
なお、上記の例は２段ドクター装置に関するものであるが、本発明を３段以上の多段ドクター装置に対しても同様に適用できる。この場合には、第１段のドクター装置の側板に、第２段および第３段のドクター装置をスライド可能な状態で支持している長穴などのスライド機構を取り付けておけば良い。また、第２段のドクター装置の側板に、第１段および第３段のドクター装置をスライド可能な状態で支持している長穴などのスライド機構を取り付けておいても良い。
【００２５】
また、各段のドクター装置としては、ドクターブレードを保持しているブレードホルダーを、ロールの外周面に対して接近・離間方向に旋回可能な状態でドクターバックに取り付けた構成のものを採用することができる。ブレードホルダーの旋回機構としては、一対のエアーチューブを用いた機構を採用することができる。勿論、各種の構造のドクター装置を用いることもできる。
【００２６】
さらに、本例では２段ドクター装置の全体をエアーシリンダを用いて第１支軸回りに旋回させるようにしているが、ターンバックルなどの機構を用いて所定の旋回位置に固定してもよい。
【図面の簡単な説明】
【００２７】
【図１】(ａ)は本発明を適用した２段ドクター装置の概略側面図であり、(ｂ)はそのｂ−ｂ線で切断した部分の概略部分断面図である。
【図２】図１の２段ドクター装置における架台を省略した状態の概略断面図である。
【符号の説明】
【００２８】
１    ２段ドクター装置
１ａ  旋回中心軸線
２    ロール
２ａ  外周面
３    前段ドクター装置
４    後段ドクター装置
５    旋回保持機構
６    スライド機構
７    保持機構
８    架台
９    軸受け
１０  調節ボルト
３１  ドクターブレード
３２  ブレードホルダー
３３  ドクターバック
３４  側板
３５  第１支軸
４１  ドクターブレード
４２  ブレードホルダー
４３  ドクターバック
４４  側板
４５  第２支軸
４６  ターンバックル
５１  エアーシリンダ
５２  伸縮ロッド
５３  連結板
６１  長穴
７１  軸受け
７２  調節ボルト
【図１】
2008127723.tif 000003
【図２】
2008127723.tif 000004